(57)【要約】【課題】本発明は、長手方向の長さが異なる複数のコネクタとコネクタカバーの接続部を効率良く配置することができ、且つコネクタカバーを小型化することができる電子機器を提供する。【解決手段】機器本体１の背面に接続口が露出するように配置した第１のコネクタ９ｂと、第１のコネクタ９ｂと同一面に接続口が露出し第１のコネクタより長手方向が長い第２のコネクタ９ｃを、第１のコネクタ９ｂの短手方向に隣接し、且つコネクタカバー接続部９ｄを第１のコネクタ９ｂの長手方向へ隣接させる。【選択図】図２
2010178165.tif 000002
【特許請求の範囲】
【請求項１】
機器本体の外形面の一つに接続口が露出する第１のコネクタと、
前記外形面と同一面に接続口が露出し、前記第１のコネクタより長手方向に長い第２のコネクタと、
前記第１のコネクタ及び前記第２のコネクタを覆うコネクタカバーと前記機器本体とを接続するコネクタカバー接続部とを有し、
前記コネクタカバー接続部が前記第１のコネクタの長手方向に隣接し、前記第２のコネクタが前記第１のコネクタの短手方向に隣接するように配置されることを特徴とする電子機器。
【請求項２】
前記第２のコネクタは、該第２のコネクタの長手方向と前記第１のコネクタの長手方向が略同一の方向となるように配置されることを特徴とする請求項１記載の電子機器。
【請求項３】
前記コネクタカバー接続部は、前記第２のコネクタの短手方向に隣接することを特徴とする請求項２記載の電子機器。
【請求項４】
前記第１のコネクタ、前記第２のコネクタ、及び前記コネクタカバー接続部が、前記機器本体の外形面の一つである背面の角部寄りに配置されていることを特徴とする請求項１乃至３のいずれか１項に記載の電子機器。
【請求項５】
前記第２のコネクタが、前記第１のコネクタより前記機器本体の中心から外側に配置されていることを特徴とする請求項１乃至４のいずれか１項に記載の電子機器。
【発明の詳細な説明】
【技術分野】
【０００１】
本発明は、複数のコネクタを有する電子機器に関するものである。
【背景技術】
【０００２】
電子機器には、様々なインターフェースを介して他の電子機器や外部電源等に接続する機能を有するものがある。例えば、デジタルスチルカメラやビデオカメラといった撮像装置とパーソナルコンピュータやプリンタ、ＡＣ電源を直流に変換する変換器等とは、各種インターフェースを介して互いに接続することができる。このため、電子機器には、各種のインターフェースに対応した形状の異なるコネクタが複数設けられている。
【０００３】
また、複数のコネクタを有する電子機器には、機器本体のデザイン性が損なわず、また機器本体への異物混入を防止するために、さらにはコネクタの接点を保護するために、使用しないコネクタ類を覆うコネクタカバーが着脱可能に設けられているものがある。
【０００４】
撮像装置のように携帯されることが多い電子機器は、近年、小型化、薄型化が進んでいることから、複数のコネクタを効率良く配置することが望まれる。
【０００５】
図７（ａ）及び図７（ｂ）は、装置本体の側面に複数のコネクタが配置された従来の撮像装置の一例を示す背面斜視図である。図７（ａ）は、コネクタカバーが閉じた状態を示し、図７（ｂ）はコネクタカバーが開いた状態を示す。
【０００６】
図７（ａ）及び図７（ｂ）において、１００は撮像装置であり、１００ａは撮像装置１００の正面、１００ｂは撮像装置１００の背面である。１０１はコネクタカバー、１０１ａはコネクタカバー接続部である。９ｂはＵＳＢ仕様に準拠した映像・音声出力用の複合コネクタ、９ｃはＨＤＭＩ仕様に準拠したＨＤＭＩコネクタである。複合コネクタ９ｂは、不図示のＵＳＢプラグを有するＵＳＢケーブル等を介してパーソナルコンピュータ等に接続する。ＨＤＭＩコネクタ９ｃは、不図示のＨＤＭＩプラグを有するＨＤＭＩケーブル等を介して他の電子機器等に接続する。
【０００７】
複合コネクタ９ｂとＨＤＭＩコネクタ９ｃは、図７（ｂ）に示すように、装置本体の側面に露出するように設けられており、コネクタカバー１０１を閉じることにより、それらの接続口が覆われる。そして、コネクタカバー１０１は、ユーザーにより開閉されても装置本体から脱落しないように、コネクタカバー接続部１０１ａにより保持されている。
【０００８】
図示のように、各コネクタが装置本体の側面に設けられる場合、撮像装置１００の小型化や薄型化により、コネクタカバー接続部１０１ａを各コネクタの短手方向に隣接して側面に配置するだけのスペースがない。その結果、コネクタカバー接続部１０１ａをいずれかのコネクタの長手方向に隣接させて配置しなければならず、同じコネクタカバー１０１で複数のコネクタを覆うためにはコネクタカバー１０１が大きくなってしまう。
【０００９】
また、従来の複数のコネクタの配置として、隣り合う複数面に接続口が露出するように構成することにより、効率のよい配置を可能としているものがある（例えば、特許文献１参照）。
【先行技術文献】
【特許文献】
【００１０】
【特許文献１】特開２００５−６５１７４号公報
【発明の概要】
【発明が解決しようとする課題】
【００１１】
しかしながら、上記特許文献１のように、隣り合う複数面に接続口が露出する場合、複数のコネクタを覆うためにコネクタカバーを大きくしなくてもよいが、複数のコネクタカバーが必要なため外形面に占めるコネクタカバーの割合は大きくなってしまう。
【００１２】
そこで、本発明は、長手方向の長さが異なる複数のコネクタとコネクタカバーの接続部を効率良く配置することができ、且つコネクタカバーを小型化することができる電子機器を提供することを目的とする。
【課題を解決するための手段】
【００１３】
上記目的を達成するために、本発明にかかる電子機器は、機器本体の外形面の一つに接続口が露出する第１のコネクタと、前記外形面と同一面に接続口が露出し、前記第１のコネクタより長手方向に長い第２のコネクタと、前記第１のコネクタ及び前記第２のコネクタを覆うコネクタカバーと前記機器本体とを接続するコネクタカバー接続部とを有し、前記コネクタカバー接続部が前記第１のコネクタの長手方向に隣接し、前記第２のコネクタが前記第１のコネクタの短手方向に隣接するように配置されることを特徴とする。
【発明の効果】
【００１４】
本発明によれば、長手方向の長さが異なる複数のコネクタとコネクタカバーの接続部を効率良く配置することができ、且つコネクタカバーを小型化することができる。
【図面の簡単な説明】
【００１５】
【図１】本発明の実施形態におけるデジタルカメラの外観を示す正面斜視図である。
【図２】（ａ）は図１のデジタルカメラの外観を示す背面斜視図、（ｂ）は図１のデジタルカメラの背面図である。
【図３】コネクタカバー接続部の部分断面図である。
【図４】コネクタカバーの裏面から見た斜視図である。
【図５】（ａ）はＨＤＭＩコネクタにＨＤＭＩプラグが挿入状態にあるデジタルカメラの背面斜視図、（ｂ）は同状態にあるデジタルカメラの背面図である。
【図６】（ａ）は複合コネクタにＵＳＢプラグが挿入状態にあるデジタルカメラの背面斜視図、（ｂ）は同状態にあるデジタルカメラの背面図である。
【図７】従来のデジタルカメラの外観を示す背面図である。
【発明を実施するための形態】
【００１６】
以下、本発明の実施の形態を図面を参照して詳細に説明する。
【００１７】
図１は、本発明の実施形態におけるデジタルカメラの外観を示す正面斜視図であり、図２（ａ）は、デジタルカメラの外観を示す背面斜視図である。図２（ｂ）は、デジタルカメラの背面図であり、コネクタカバーが開いた状態を示す。
【００１８】
図１において、１はカメラ本体であり、その正面には撮影レンズ２が設けられている。図１の状態では、撮影レンズ２は、カメラ本体１内に沈胴している。
【００１９】
３はカメラ本体１の電源スイッチであり、７は撮影スイッチである。電源スイッチ３がオンされると、撮影レンズ２がカメラ本体１から突出して撮影が可能となる。そして、撮影スイッチ７がオンされると、撮影レンズ２を介して不図示の撮像素子（ＣＣＤやＣＭＯＳセンサ等）に結像された被写体の撮像画像が、カメラ本体１内に装填された半導体メモリ等の記録媒体に記録される。
【００２０】
４はストロボ発光窓であり、５は音声入力用のマイクである。カメラ本体１は、マイク５から入力された音声データを、画像データと合わせて記録媒体に記録することができる。カメラ本体１の上面には、音声再生用スピーカー８が設けられている。カメラ本体１は、記録媒体に保存されている音声を音声再生用スピーカー８から出力したり、不図示のメモリに予め記録されている動作音などを再生することができる。
【００２１】
１３ａ，１３ｂ，１３ｃ，１３ｄはカメラ本体１の角部である。角部１３ａ，１３ｂ，１３ｃ，１３ｄが尖っていると手や指などの皮膚を傷つける可能性があることから、本実施形態ではそれぞれの角部を略円弧状の形状としている。
【００２２】
図２（ａ）において、カメラ本体１の背面には、液晶ディスプレイ６が設けられている。液晶ディスプレイ６には、撮影レンズ２を介して入射された被写体像を表示するファインダー機能や記録媒体に記録された画像を表示する画像再生機能を有する。
【００２３】
カメラ本体１の底面には、図示はしていないが、カメラ本体１に対して開閉可能な電池蓋が設けられており、この電池蓋を開けることによって、電池をカメラ本体１内に装填することができる。
【００２４】
９はコネクタカバーであり、カメラ本体１の背面の右上角部に、カメラ本体１に対して開閉可能に取り付けられている。９ａはコネクタカバー９の端面に設けられた指掛け部である。指掛け部９ａは、コネクタカバー９を開ける操作をし易くするためのものである。コネクタカバー９は後述する２つのコネクタを覆っている。
【００２５】
図２（ｂ）において、９ｂはＵＳＢ仕様に準拠した映像・音声出力用の複合コネクタ（第１のコネクタ）である。９ｃはＨＤＭＩ仕様に準拠したＨＤＭＩコネクタ（第２のコネクタ）である。９ｄはコネクタカバー接続部である。
【００２６】
本実施形態のデジタルカメラでは、複合コネクタ９ｂ、ＨＤＭＩコネクタ９ｃ、及びコネクタカバー接続部９ｄがカメラ本体１の背面の角部寄りに配置されている。ＨＤＭＩコネクタ９ｃは、図２（ｂ）に示すように、カメラ本体１の外形面の一つである背面と同一面に接続口が露出し、複合コネクタ９ｂよりも長手方向が長く、該複合コネクタ９ｂの短手方向に隣接するように配置されている。そして、コネクタカバー接続部９ｄは、複合コネクタ９ｂの長手方向に隣接するように配置されている。
【００２７】
また、図２（ｂ）では、複合コネクタ９ｂの長手方向とＨＤＭＩコネクタ９ｃの長手方向が略同一の方向となるように配置されていて、コネクタカバー接続部９ｄは、ＨＤＭＩコネクタ９ｃの短手方向に隣接するように配置されている。このように配置することで、少ないスペースに、長手方向の長さの異なる複数のコネクタ（複合コネクタ９ｂ、ＨＤＭＩコネクタ９ｃ）とコネクタカバー接続部９ｄとを効率良く配置することが可能となる。
【００２８】
図３は、図２（ｂ）におけるコネクタカバー接続部９ｄの部分断面図であり、コネクタカバー９が開いた状態を示す。図４は、コネクタカバー９の裏面から見た斜視図である。
【００２９】
図３において、９ｅはコネクタカバー引っ掛け部、９ｆはコネクタカバースリット部、１０はコネクタカバー係止部である。
【００３０】
図４において、コネクタカバー引っ掛け部９ｅはコネクタカバースリット部９ｆの先端に位置している。コネクタカバー係止部１０は、コネクタカバー引っ掛け部９ｅがカメラ本体１から抜けないように、コネクタカバースリット部９ｆを通してカメラ本体１に設置されている。そのため、ユーザーが不用意にコネクタカバー９を引っ張りだしても、コネクタカバー引っ掛け部９ｅがコネクタカバー係止部１０に引っ掛かり、コネクタカバー引っ掛け部９ｅ又はコネクタカバー係止部１０が破断しない限り、カメラ本体１から脱落することはない。
【００３１】
図５（ａ）及び図５（ｂ）は、コネクタカバー９を開けて露出したＨＤＭＩコネクタ９ｃにＨＤＭＩプラグ１１を接続（挿入）した状態にあるカメラ本体１の背面図である。図６（ａ）及び図６（ｂ）は、コネクタカバー９を開けて露出した複合コネクタ９ｂにＵＳＢプラグ１２を接続（挿入）した状態にあるカメラ本体１の背面図である。
【００３２】
図５（ｂ）に示すように、ＨＤＭＩコネクタ９ｃにＨＤＭＩプラグ１１を接続した場合、カメラ本体１の外形より、ＨＤＭＩプラグ１１が上方にはみ出す。一方、図６（ｂ）に示すように、複合コネクタ９ｂにＵＳＢプラグ１２を接続した場合、カメラ本体１の外形より、ＵＳＢプラグ１２がはみ出すことはない。
【００３３】
なお、図２（ｂ）に示す複合コネクタ９ｂの配置位置とＨＤＭＩコネクタ９ｃの配置位置とを上下逆にした場合、ＨＤＭＩプラグ１１を接続するために、ＨＤＭＩコネクタ９ｃの周辺にスペースを設けなければならない。また、コネクタカバー９の大きさをその分大きくしなければならない。そこで、本実施形態では、図２（ｂ）に示すように、コネクタカバー接続部９ｄを複合コネクタ９ｂの長手方向に隣接するように配置し、且つＨＤＭＩコネクタ９ｃを複合コネクタ９ｂの短手方向に隣接するように配置している。すなわち、２つのコネクタのうち長手方向の長さが短い方のコネクタをコネクタカバー接続部の横に配置し、長手方向の長さが長い方のコネクタをその上部に配置している。これより、コネクタカバーをより小型化することが可能となる。
【００３４】
また、複合コネクタ９ｂ、ＨＤＭＩコネクタ９ｃ、及びコネクタカバー接続部９ｄをカメラ本体１の背面の角部１３ａ付近に配置している。このように、ＨＤＭＩコネクタ９ｃが複合コネクタ９ｂよりもカメラ本体１の中心から外側へ配置（図２(b)では上側）することにより、角部１３ａ付近への効率の良い配置となり、コネクタカバー９をより小さな構成にすることができる。
【００３５】
また、コネクタカバー９を背面側のみで作成することができ、カメラ本体１の正面側にコネクタカバー９がかかることがない。
【００３６】
また、カメラ本体１の側面、正面、背面等の複数面でコネクタカバー９を構成した場合と比べて、外形面に占めるコネクタカバーの割合をより小さくすることができる。その結果、デザイン性を損なわずにデジタルカメラの小型化、薄型化を図ることができる。
【００３７】
また、複合コネクタ９ｂ、ＨＤＭＩコネクタ９ｃ、コネクタカバー接続部９ｄを、カメラ本体１の背面側角部付近へ上述の様に配置することで、デジタルカメラの正面及び側面のデザイン性を損なうことなく、コネクタカバーを構成することが可能となる。また、複数のコネクタやコネクタカバー接続部が背面の角部寄りに配置されているので、背面側の外観のデザイン性を著しく損なうことがなくなる。
【００３８】
デジタルカメラのような携帯可能な電子機器の場合、手で持って使用することが想定されるため、機器本体の角部の形状は、手で触れても痛くない様に角の無い滑らかな形状、例えば円弧状のようにすることが望ましい。複数のコネクタとコネクタカバー接続部を機器本体の背面の角部寄りに配置する際、角部が円弧状になっているとその場所には何も配置することができない。そこで、複合コネクタ９ｂより長手方向に長いＨＤＭＩコネクタを複合コネクタ９ｂよりカメラ本体１の中心から外側へ配置することで効率の良い配置となり、コネクタカバー９をより小型化することができる。
【００３９】
以上のようにして、長手方向の長さが異なる複数のコネクタとコネクタカバー接続部をカメラ本体１の外形面の一つ（例えば、背面）にコネクタの接続口が露出するように配置する場合に、複数のコネクタとコネクタカバーの接続部を効率良く配置することができる。その結果、コネクタカバーを小型化することができる。また、コネクタカバーを小型化することでコネクタカバーが外形面の複数の面にかかることなく、デザイン性を損なわずにデジタルカメラの小型化、薄型化を図ることができる。
【００４０】
上記実施形態では、ＵＳＢ仕様に準拠した映像・音声出力用の複合コネクタ、ＨＤＭＩ仕様に準拠したＨＤＭＩコネクタを備えたデジタルカメラについて説明した。しかしながら、これらのコネクタ以外のコネクタを備えたデジタルカメラやビデオカメラ、さらには携帯端末等の他の電子機器に対しても本発明を適用することができる。
【００４１】
また、コネクタカバーのカメラ本体への取り付け方法に関しては、実施形態にて説明した以外の方法を採用してもよい。例えば、コネクタカバーに鏃状のボスを形成し、カメラ本体に穴を開けてここに弾性係止する方法や、接着、熱溶着、Ｅリングなどによる固定方法というように、様々な方法が考えられる。
【符号の説明】
【００４２】
１  カメラ本体
２  撮影レンズ
９  コネクタカバー
９ａ  指掛け部
９ｂ  複合コネクタ
９ｃ  ＨＤＭＩコネクタ
９ｄ  コネクタカバー接続部
９ｅ  コネクタカバー引っ掛け部
９ｆ  コネクタカバースリット部
１０  コネクタカバー係止部
１１  ＨＤＭＩプラグ
１２  ＵＳＢプラグ
１３ａ，１３ｂ，１３ｃ，１３ｄ  カメラ本体角部
【図１】
2010178165.tif 000003
【図２】
2010178165.tif 000004
【図３】
2010178165.tif 000005
【図４】
2010178165.tif 000006
【図５】
2010178165.tif 000007
【図６】
2010178165.tif 000008
【図７】
2010178165.tif 000009